(57)【特許請求の範囲】
【請求項１】
着用者の排泄口と対向する排泄口当接域と、
前記排泄口当接域よりも後側に位置し、前記排泄口当接域よりも前後方向の長さが長い後側域と、
前記排泄口当接域と前記後側域に配置される吸収コアと、
を有する吸収性物品であって、
前記後側域の前記吸収コアは、第１領域、前記第１領域の幅方向の外側にそれぞれ位置する第２領域及び第３領域を有し、
前記吸収性物品は、前記吸収コアが厚み方向に曲がることができるように構成された曲部を有し、
前記曲部は、前記吸収性物品の肌対向面側から視認可能であり、かつ前記吸収性物品の前記前後方向に延び、
前記曲部は、前記第１領域に設けられ、前記第２領域及び前記第３領域に設けられていない、吸収性物品。
【請求項２】
前記後側域には、前記排泄口当接域の前記吸収コアの外側縁よりも幅方向の外側に延出するヒップフラップが設けられており、
前記曲部は、前記ヒップフラップにおいて最も幅方向の外側に位置する最外縁部よりも後方に延びる、請求項１に記載の吸収性物品。
【請求項３】
前記曲部は、前記吸収性物品の幅方向の中心に配置される、請求項１又は請求項２に記載の吸収性物品。
【請求項４】
前記後側域には、前記曲部に連なり、かつ前記曲部から前記幅方向の両外側にそれぞれ延びる補助曲部を有し、
前記補助曲部は、前記幅方向の外側から前記幅方向の内側に向かうにつれて後方に延びる、請求項１から請求項３のいずれかに記載の吸収性物品。
【請求項５】
前記補助曲部は、前記吸収コアの目付が周囲と異なる領域によって形成されている、請求項４に記載の吸収性物品。
【請求項６】
前記補助曲部は、前記前後方向に間隔を空けて複数設けられている、請求項４又は請求項５に記載の吸収性物品。
【請求項７】
前記吸収コアを有する吸収体よりも非肌対向面側に位置する非肌面シートを備え、
前記非肌面シートの非肌対向面には、前記吸収性物品を下着に止めるための粘着剤が塗布された粘着領域が設けられており、
前記曲部及び前記曲部から後方に延びる領域は、前記厚み方向において前記粘着領域に重ならない、請求項１から請求項６のいずれかに記載の吸収性物品。
【請求項８】
前記粘着領域は、前記吸収コアの非肌対向面側に配置された第１本体粘着領域及び第２本体粘着領域を有し、
前記第１本体粘着領域は、前記第２本体粘着領域と前記前後方向に離間している、請求項７に記載の吸収性物品。
【請求項９】
前記吸収コアを有する吸収体よりも肌対向面側に位置する肌面シートと、
前記吸収体よりも非肌対向面側に位置する非肌面シートを備え、
前記非肌面シートの肌対向面には、前記肌面シート及び前記吸収体と異なる色が付されており、
前記曲部は、前記吸収コアを貫通したスリットであり、
前記曲部の前記幅方向の両外側には、前記非肌面シートを視認可能な識別部が設けられる、請求項１から請求項８のいずれかに記載の吸収性物品。
【請求項１０】
前記識別部は、前記曲部の前記幅方向の両外側にそれぞれ配置され、かつ前記前後方向に延びる、請求項９に記載の吸収性物品。
【請求項１１】
前記排泄口当接域には、ウイングが設けられており、
前記曲部の前端縁は、前記ウイングの前記前後方向の中心から３０ｍｍ後方の位置よりも後方に位置する、請求項１から請求項１０のいずれか１項に記載の吸収性物品。
【請求項１２】
前記曲部は、前記前後方向に平行である、請求項１から請求項１１のいずれか１項に記載の吸収性物品。
【発明の詳細な説明】
【技術分野】
【０００１】
本発明は、ウイングを有する吸収性物品に関する。
【背景技術】
【０００２】
特許文献１には、着用者の排泄口と対向する排泄口当接域と、排泄口当接域よりも後側に位置し、排泄口当接域よりも前後方向の長さが長い後側域と、排泄口当接域と後側域に配置される吸収コアと、を有する吸収性物品が開示されている。
【０００３】
特許文献１に記載の吸収性物品を下着に装着する際は、吸収性物品の排泄口当接域を下着の肌対向面に止着し、次いで、排泄口当接域の後方に位置する後側域を下着の肌対向面に止着する。
【先行技術文献】
【特許文献】
【０００４】
【特許文献１】特開２０１０−１３６９００号公報
【発明の概要】
【発明が解決しようとする課題】
【０００５】
しかし、上述した吸収性物品には、以下の問題点がある。
吸収性物品の排泄口当接域を装着する際に、吸収性物品の幅方向の中心が下着の幅方向の中心に配置されていなかったり、吸収性物品の前後方向が下着の前後方向に対してずれていたりすると、後側域を適切に身体に対向して配置できない。特に、後側域は、後側域の前後方向の長さが比較的長いため、後方に向かうにつれて位置ずれの量が大きくなる。よって、着用者の臀部を覆うように吸収コアを配置できず、漏れが発生することがあった。  
【０００６】
また、着用者の臀部近傍の幅方向に沿った身体の断面形状は、左右の臀部が膨らみ、この臀部間が窪んだ形状である。当該臀部間の窪みに沿って吸収性物品が配置されないと、着用者の臀部の窪みと吸収性物品との隙間から体液の漏れが発生することがあった。  
【０００７】
本発明は、上述の課題に鑑みてなされたものであり、吸収性物品の後側域を適切な位置に装着でき、かつ着用者の臀部に対して吸収コアをフィットさせることにより、漏れを抑制できる吸収性物品を提供することを目的とする。
【課題を解決するための手段】
【０００８】
上述した課題を解決するため、本開示に係る吸収性物品（吸収性物品１）は、着用者の排泄口と対向する排泄口当接域（排泄口当接域Ｓ１）と、前記排泄口当接域よりも後側に位置し、前記排泄口当接域よりも前後方向の長さが長い後側域（後側域Ｓ２）と、前記排泄口当接域と前記後側域に配置される吸収コア（吸収コア３１）と、を有する吸収性物品であって、前記後側域の吸収コアは、第１領域（第１領域３１１）、前記第１領域の幅方向の外側にそれぞれ位置する第２領域（第２領域３１２）及び第３領域（第３領域３１３）を有し、前記第１領域には、前記吸収性物品の前後方向に延び、かつ前記後側域の前記吸収コアが着用者側に隆起することができるように構成された曲部（前後スリット４２）が設けられ、前記曲部は、前記吸収性物品の肌対向面側から視認可能であり、前記吸収性物品の前後方向に延びることを要旨とする。
【発明の効果】
【０００９】
本発明によれば、吸収性物品の後側域を適切な位置に装着でき、かつ着用者の臀部に対して吸収コアをフィットさせることにより、漏れを抑制できる吸収性物品を提供することができる。
【図面の簡単な説明】
【００１０】
【図１】実施形態に係る吸収性物品の平面図である。
【図２】図１に示す吸収性物品の背面図である。
【図３】図１に示すＡ−Ａ断面の模式断面図である。
【図４】図１に示すＢ−Ｂ断面の模式断面図である。
【図５】図１に示す吸収性物品の着用者に装着された状態の断面図である。
【発明を実施するための形態】
【００１１】
（１）吸収性物品の全体構成
図１乃至図３を参照して、実施形態に係る吸収性物品１の全体構成について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１２】
図１は、吸収性物品の平面図であり、図２は、吸収性物品の背面図である。図３は、図１に示すＡ−Ａ断面図である。図４は、図１に示すＢ−Ｂ断面図である。本実施形態に係る吸収性物品１は、夜用の生理用ナプキンである。
【００１３】
吸収性物品１は、着用者の前側（腹側）及び後側（背側）に延びる前後方向Ｌと、前後方向Ｌと直交する幅方向Ｗと、着用者の肌対向面側Ｔ１及び非肌対向面側Ｔ２に延びる厚み方向Ｔと、を有する。
【００１４】
吸収性物品は、着用者の排泄口当接域に配置される排泄口当接域Ｓ１と、排泄口当接域Ｓ１の後側に位置する後側域Ｓ２と、排泄口当接域Ｓ１の前側に位置する前側域Ｓ３と、を有する。後側域Ｓ２の前後方向Ｌの長さは、排泄口当接域Ｓ１の前後方向Ｌの長さよりも長い。排泄口当接域Ｓ１は、下着に装着された状態で、下着の股下部に装着される領域である。排泄口当接域Ｓ１には、後述するウイングが配置される。排泄口当接域Ｓ１と後側域Ｓ２の境界は、後述する幅スリット４１である。幅スリット４１の前端縁は、排泄口当接域Ｓ１の後端縁であり、幅スリット４１の後端縁は、後側域Ｓ２の前端縁である。また、後側域Ｓ２の後端縁は、吸収性物品１の後端縁である。排泄口当接域Ｓ１と前側域Ｓ３の境界は、ウイング３の前端縁である。ウイング３の前端縁は、ウイング３の付け根であり、ウイング３において最も幅方向の内側に窪んだ部分のうち、前側に位置する部分である。ウイング３の前側の付け根は、排泄口当接域Ｓ１の前端縁であり、かつ前側域Ｓ３の後端縁である。また、前側域Ｓ３の前端縁は、吸収性物品１の前端縁である。図３において、排泄口当接域Ｓ１、後側域Ｓ２及び前側域Ｓ３の前後方向の範囲を示す。
【００１５】
吸収性物品１は、吸収体３０、吸収体３０よりも肌対向面側Ｔ１に位置する肌面シート１０、及び吸収体３０よりも非肌対向面側Ｔ２に位置する非肌面シート２０を備える。肌面シート１０は、吸収体３０の少なくとも幅方向中央を覆う液透過性の表面シート１１と、表面シート１１の外側縁（幅方向の外側端部）を覆い、幅方向の外側に延出するサイドシート１２と、を有する。非肌面シート２０は、液不透過性のシートである。
【００１６】
表面シート１１は、体液等の液体を透過する液透過性のシートである。表面シート１１は、少なくとも吸収体３０の表面を覆う。表面シート１１は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１７】
サイドシート１２は、表面シート１１と同様の材料から選ぶことができる。但し、サイドシート１２を乗り越えて吸収性物品１の外方へ経血が流れることを防止するためには、サイドシート１２は、疎水性又は撥水性を有することが好ましい。サイドシート１２は、吸収体３０の外側縁、ウイング３及びヒップフラップ４に配置されている。
【００１８】
非肌面シート２０は、吸収体３０の非肌対向面側に位置する裏面シート２１と、裏面シートの非肌対向面側に位置する外装シート２２と、を有する。裏面シート２１は、吸収体３０の全域を覆う。裏面シート２１は、吸収体３０よりも幅方向の外側に延出し、かつ吸収体３０よりも前後方向の外側に延出している。裏面シート２１は、肌面シート１０及び吸収体３０と異なる色で着色されている。裏面シート２１は、少なくとも裏面シート２１の肌対向面が、肌面シート１０の肌対向面と異なる色、かつ吸収体３０の肌対向面と異なる色で着色されていればよい。裏面シート２１は、吸収性物品の肌対向面側から視認した際に、他のシート等と異なる色であればよい。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００１９】
吸収体３０は、吸収材料が積層された吸収コア３１と、吸収コア３１を覆うコアラップ３２と、を有する。吸収材料は、例えば、親水性繊維、パルプ、及びＳＡＰを例示できる。なお、本実施の形態の吸収体３０は、吸収コア３１の後端縁とコアラップ３２の後端縁が略一致している。
【００２０】
吸収コア３１は、排泄口当接域Ｓ１と後側域Ｓ２に配置される。なお、吸収コア３１は、排泄口当接域Ｓ１と後側域Ｓ２のそれぞれに分断された状態で配置されていてもよいし、排泄口当接域Ｓ１と後側域Ｓ２に跨って配置されていてもよい。また、吸収コア３１は、少なくとも排泄口当接域Ｓ１と後側域Ｓ２に配置されていればよく、排泄口当接域Ｓ１、後側域Ｓ２及び前側域Ｓ３に配置されていてもよい。
【００２１】
吸収コア３１は、幅スリット４１、前後スリット４２、及び補助スリット４３を有する。吸収コア３１は、幅スリット４１、前後スリット４２、及び補助スリット４３は、吸収コア３１が厚み方向Ｔに曲がることができるように構成されている。
【００２２】
幅スリット４１、前後スリット４２及び補助スリット４３の吸収材料の目付は、周囲の吸収コア３１の吸収材料の目付よりも低い。周囲の吸収コア３１とは、幅スリット等に隣接する領域の吸収コアであり、例えば、排泄口当接域Ｓ１において幅スリット４１に隣接する吸収コア、及び後側域Ｓ２において幅スリット４１に隣接する吸収コアである。なお、幅スリット４１、前後スリット４２及び補助スリット４３は、吸収材料の目付が周囲の吸収コア３１よりも低い領域であればよく、目付が０の領域であってもよいし、設計上の目付が０であるが、周囲の吸収コア３１から混入した吸収材料が配置された領域であってもよい。
【００２３】
本実施の形態の幅スリット４１、前後スリット４２、及び補助スリット４３は、設計上の目付が０であり、吸収コア３１を厚み方向に貫通している。よって、厚み方向Ｔにおいて幅スリット４１に重なる領域、前後スリット４２に重なる領域、及び補助スリット４３に重なる領域において、肌面シート１０と非肌面シート２０の間には、吸収材料が配置されていない。また、厚み方向Ｔにおいて幅スリット４１に重なる領域、前後スリット４２に重なる領域、及び補助スリット４３に重なる領域において、肌面シート１０と非肌面シート２０とは接合されていない。
【００２４】
また、幅スリット４１に重なる領域、前後スリット４２に重なる領域、及び補助スリット４３に重なる領域において、吸収コア３１の肌対向面側に位置するコアラップ３２と吸収コア３１の非肌面側に位置するコアラップ３２とは、接合されていてもよいし、接合されていなくてもよい。例えば、吸収コア３１の肌対向面側に位置するコアラップ３２と吸収コア３１の非肌対向面側に位置するコアラップ３２とが接合されている構成によれば、吸収コア３１の型崩れを抑制できる。また、幅スリット４１に重なる領域、前後スリット４２に重なる領域、及び補助スリット４３に重なる領域において、表面シート１１とコアラップ３２とは、接合されていてもよいし、接合されていなくてもよい。加えて、幅スリット４１に重なる領域、前後スリット４２に重なる領域、及び補助スリット４３に重なる領域において、非肌面シート２０とコアラップ３２とは、接合されていてもよいし、接合されていなくてもよい。
【００２５】
幅スリット４１、前後スリット４２及び補助スリット４３は、剛性が変化する境界となる。具体的には、例えば、幅スリット４１よりも前側の領域の剛性と、幅スリット４１よりも後側の領域の剛性と、は、異なる。より詳細には、幅スリット４１よりも前側の領域の吸収材料の目付は、幅スリット４１の吸収材料の目付よりも高い。また、幅スリット４１よりも後側の領域の吸収材料の目付は、幅スリット４１の吸収材料の目付よりも高い。
【００２６】
幅スリット４１は、排泄口当接域Ｓ１と後側域Ｓ２の間において幅方向Ｗに延びる。幅スリット４１、少なくとも幅方向に延びていればよく、幅方向に平行な直線状であってもよいし、幅方向に平行でなく、幅方向に対して傾斜した直線状又は曲線状であってもよい。本実施の形態の幅スリットは、幅スリット４１の幅方向の中央が後方に突出した曲線形状である。より詳細には、幅スリット４１の幅方向の中心は、幅スリット４１の外側縁よりも後方に位置する。幅スリット４１の幅方向の中心は、後方に向かう凸状である。なお、幅スリットの前後方向における長さは、一定であってもよいし、変化していてもよい。また、幅スリットの前後方向の長さは、１０ｍｍ以上かつ５０ｍｍ以下であり、より好ましくは、幅スリットの前後方向の長さは、１０ｍｍ以上かつ３０ｍｍ以下である。
【００２７】
例えば、幅スリット４１の前後方向の長さが１０ｍｍ未満の場合には、幅スリット４１の前側の動きと幅スリット４１の後側の動きとを緩衝し、又は分断する作用を十分に得ることができないことがある。また、幅スリット４１の前後方向の長さが５０ｍｍを超える場合には、幅スリット４１の前側の動きと幅スリット４１の後側の動きとを緩衝し、又は分断する作用が大きくなる一方、吸収性物品としての安心感が低減することがある。
【００２８】
また、幅スリット４１の幅方向の長さは、２５ｍｍ以上であることが好ましい。一般的に、夜用の生理用ナプキンの中高部３３の幅方向の長さ（目付が比較的高い部分の幅方向の長さ）は、２５ｍｍ以上３０ｍｍ以下であることが多い。例えば、中高部３３が排泄口当接域Ｓ１と後側域Ｓ２に連続して形成されていると、当該中高部によって排泄口当接域Ｓ１の動きが後側域Ｓ２に連動することがある。しかし、幅スリット４１の幅方向の長さが２５ｍｍ以上であることにより、中高部３３を前後方向で分断し、排泄口当接域Ｓ１の動きが後側域Ｓ２に連動することを抑制できる。
【００２９】
幅スリット４１は、吸収コア３１の幅方向の全域に形成されていてもよいし、吸収コアの幅方向の一部の領域に形成されていてもよい。本実施の形態の幅スリット４１は、吸収コア３１の幅方向全域に形成されている。幅スリット４１の外側縁４１Ｅの外側縁４１Ｅは、吸収コア３１の外側縁３１Ｅに位置する。よって、排泄口当接域Ｓ１の吸収コア３１と後側域Ｓ２の吸収コア３１とは、幅スリット４１によって前後方向に分断されている。なお、本実施の形態の吸収体３０は、吸収コア３１の外側縁と吸収体３０の外側縁が略一致している。よって、図面上、幅スリット４１の外側縁４１Ｅは、吸収体３０の外側縁と一致するように示す。
【００３０】
前後スリット４２は、後側域Ｓ２において前後方向Ｌに延びる。前後スリット４２は、少なくとも前後方向に延びていればよく、前後方向に平行な直線状であってもよいし、前後方向に平行でなく、前後方向に対して傾斜した直線状又は曲線状であってもよい。前後スリット４２は、後側域Ｓ２の吸収コア３１の前後方向Ｌの全域に形成されていてもよいし、後側域Ｓ２の吸収コア３１の前後方向の一部の領域に形成されていてもよい。前後スリット４２は、ヒップフラップ４において最も幅方向の外側に位置する最外縁部４Ｅよりも後方に延びていることが好ましい。本実施の形態の前後スリット４２は、後側域Ｓ２の吸収コアの前後方向Ｌの全域に形成されている。前後スリット４２の前端縁は、幅スリット４１に連なっており、前後スリット４２の後端縁は、吸収コアの後端縁に位置する。よって、後側域Ｓ２の吸収コア３１は、前後スリット４２によって幅方向に分断されている。
【００３１】
また、前後スリット４２の前端縁は、ウイング３の前後方向の中心３ＬＣから３０ｍｍ後方の位置よりも後方に位置することが好ましい。また、前後スリット４２の後端縁は、ウイング３の前後方向の中心３ＬＣから２００ｍｍ後方の位置よりも後方に位置することが好ましい。前後スリット４２の前後方向の長さは、１５０ｍｍ以上であることが好ましい。着用者の身体の前後方向に沿った断面において、臀部間の溝は、会陰部を越えた辺りからはじまり、尾てい骨に至るまで存在する。このような前後スリット４２によれば、前後スリットを頂点とした凸状の変形が臀部間の溝に配置され易くなる。
【００３２】
また、前後スリット４２の幅方向の長さは、１ｍｍ以上かつ１５ｍｍ以下である。例えば、前後スリット４２の幅方向の長さが１ｍｍ未満の場合には、前後スリット４２を頂点として凸状に変形した際に、幅スリットを挟んで配置された吸収コア３１同士が干渉し、安定的に凸状に変形し難くなる。また、前後スリット４２の幅方向の長さが１５ｍｍを超える場合には、前後スリット４２を頂点とした凸状の変形部分が臀部間の隙間に配置された際に、凸状の変形部分に吸収コアが存在しないため、体液の吸収が疎かになってしまうことがある。
【００３３】
後側域Ｓ２の吸収コア３１は、第１領域３１１、第１領域３１１の幅方向の外側にそれぞれ位置する第２領域３１２及び第３領域３１３を有する。図１に、第１領域３１１、第２領域３１２及び第３領域３１３の幅方向の範囲を示す。第１領域３１１、第２領域３１２及び第３領域３１３は、後側域Ｓ２の吸収コア３１を幅方向において３等分した領域である。第１領域３１１は、３等分した領域のうち幅方向中央に位置する領域である。第２領域３１２は、３等分した領域のうち幅方向の一方の側部に位置する領域である。第３領域３１３は、３等分した領域のうち幅方向の他方の側部に位置する領域である。なお、後側域Ｓ２の吸収コアの幅方向の長さが変化する構成にあっては、幅スリット４１に隣接する吸収コア３１を幅方向において３等分した領域とする。
【００３４】
前後スリット４２は、第１領域３１１に設けられている。前後スリット４２は、吸収性物品１の幅方向Ｗの中心に配置されていてもよい。前後スリット４２は、後側域Ｓ２の吸収コア３１が厚み方向Ｔに曲がることができるように構成され、より詳細には、後側域Ｓ２の吸収コア３１が着用者側に隆起できるように構成されている。前後スリット４２は、曲部を構成する。
【００３５】
曲部としての前後スリット４２は、吸収性物品の肌対向面側から視認可能に構成されている。吸収性物品の肌対向面側から前後スリット４２を視認可能な状態とは、装着者が前後スリット４２の位置を把握可能な状態であればよく、前後スリット４２の肌対向面側に配置された表面シート１１を介して前後スリット４２を視認可能な状態のみならず、前後スリットの非肌対向面側に位置する裏面シート２１によって前後スリット４２の位置を視認可能な状態を含む概念である。すなわち、前後スリット４２は、後述する識別部７０によって視認可能に構成されていてもよい。
【００３６】
幅スリット４１と前後スリット４２とは、連なっている。よって、平面視にて、排泄口当接域Ｓ１の吸収コア３１と、後側域Ｓ２の幅方向Ｗの一方側の吸収コア３１（例えば、着用者の左側に位置する吸収コア）と、後側域Ｓ２の幅方向Ｗの他方側の吸収コア３１（例えば、着用者の右側に位置する吸収コア）とは、分断されている。なお、幅スリット４１と前後スリット４２とは、離間していてもよい。
【００３７】
補助スリット４３は、前後スリット４２に連なり、かつ前後スリット４２から幅方向Ｗの外側に延びる。補助スリット４３は、前後スリット４２の幅方向の両側にそれぞれ延びている。補助スリット４３は、少なくとも幅方向に延びていればよく、幅方向に平行な直線状であってもよいし、幅方向に平行でなく、幅方向に対して傾斜した直線状又は曲線状であってもよい。補助スリット４３は、前後方向Ｌに間隔を空けて複数設けられている。補助スリット４３の外側縁は、後側域Ｓ２の吸収コア３１の外側縁３１Ｅよりも幅方向Ｗの内側に位置する。すなわち、補助スリット４３の幅方向の外側には、吸収材料が配置されている。なお、補助スリット４３は、後側域Ｓ２の吸収コア３１の外側縁３１Ｅまで延びていてもよい。補助スリット４３は、幅方向Ｗの外側から幅方向の内側（前後スリット４２側）に向かうにつれて後側に延びる。
【００３８】
補助スリット４３は、後側域Ｓ２の吸収コア３１が厚み方向に曲がる変形基点を構成するように構成されている。補助スリット４３は、補助曲部を構成する。なお、曲部及び補助曲部は、スリットのみならず、他の構成によって構成されていてもよい。例えば、曲部及び補助曲部は、少なくとも吸収コアを厚み方向に圧搾した圧搾部によって構成されていてもよいし、吸収コアの目付が周囲と異なることによって剛性が異なる領域によって構成されていてもよいし、凹部と凸部のかみ合わせによって成形されたエンボスによって構成されていてもよい。
【００３９】
吸収性物品１は、ウイング３と、ヒップフラップ４と、を有する。ウイング３及びヒップフラップ４は、排泄口当接域Ｓ１の吸収コア３１の外側縁３１Ｅよりも幅方向の外側に延出している。
【００４０】
ウイング３は、サイドシート１２と、非肌面シート２０と、を有する。ウイング３の前後方向の中心３ＬＣは、着用者の排泄口に対向して配置される。ウイング３は、非肌面シート２０側に折り返し可能に構成されており、使用時に下着のクロッチ部の非肌対向面側に折り返される。ヒップフラップ４は、ウイング３の後側に位置し、後側域Ｓ２に設けられている。ヒップフラップ４は、使用時に下着の非肌対向面側に折り返されずに下着の肌対向面側に配置されるように構成されている。なお、ウイング３及びヒップフラップ４には、吸収材料が配置されていてもよい。
【００４１】
図２に示すように、非肌面シート２０の非肌対向面には、吸収性物品を下着Ｓに止めるための粘着剤が塗布された粘着領域６０が設けられている。粘着領域６０は、吸収コア３１の非肌対向面側に配置された第１本体粘着領域６１及び第２本体粘着領域６２と、ウイング３に配置されたウイング粘着領域６３と、ヒップフラップ４に配置されたヒップフラップ粘着領域６４と、を有する。
【００４２】
第１本体粘着領域６１は、第２本体粘着領域６２と前後方向に離間しており、第２本体粘着領域６２よりも前方に配置されている。第１本体粘着領域６１は、幅スリット４１よりも前側において、排泄口当接域Ｓ１と前側域Ｓ３に跨って配置されている。第２本体粘着領域６２は、幅スリット４１よりも後側において、後側域Ｓ２に配置されている。
【００４３】
幅スリット４１及び前後スリット４２は、厚み方向Ｔにおいて粘着領域６０に重なっていない。換言すると、平面視にて幅スリット４１及び前後スリットが配置された領域には、粘着領域６０が設けられていない。更に、前後スリット４２から後方に延びる領域は、厚み方向において粘着領域６０に重ならない。また、ウイング３及びヒップフラップ４には、粘着領域６０が設けられている。
【００４４】
粘着領域６０は、使用前の状態において、剥離シート６５によって覆われている。剥離シート６５は、使用前に接着剤が劣化するのを防止している。剥離シート６５は、使用時に着用者によって剥離される。なお、剥離シートを有しない吸収性物品においては、吸収性物品を個別に包装する包装シートによって使用前に接着領域が劣化するのを防止するように構成されていてもよい。
【００４５】
吸収性物品１は、識別部７０を有する。識別部７０は、吸収性物品の肌対向面側から非肌面シートとしての裏面シート２１を視認可能な領域である。識別部７０は、平面視にて、裏面シート２１が配置され、かつ吸収体３０によって裏面シート２１が覆われていない領域である。例えば、識別部７０は、吸収コアの幅スリット４１が設けられた領域、前後スリット４２が設けられた領域、及び補助スリット４３が設けられた領域である。また、識別部７０は、吸収体３０よりも幅方向の外側において裏面シート２１が配置された領域、及び吸収体３０よりも前後方向Ｌの外側において裏面シート２１が配置された領域である。吸収体３０よりも幅方向Ｗの外側において裏面シート２１が配置された領域は、ウイング３の幅方向Ｗの内側に配置される。よって、ウイング３の幅方向Ｗの内側に識別部７０が設けられている。また、後側域Ｓ２には、前後スリット４２に対応する識別部と、前後スリット４２及び吸収体３０よりも幅方向の両外側に位置する識別部と、が前後方向Ｌに沿って配置されている。前後スリット４２及び吸収体３０よりも幅方向の両外側に位置する識別部は、吸収コア３１の外側縁に隣接しており、ヒップフラップの最外縁部４Ｅよりも幅方向の内側に位置する。このように識別部７０は、曲部（前後スリット４２）の幅方向の両外側にそれぞれ配置されており、各識別部７０は、前後方向Ｌに延びている。なお、曲部及び識別部７０は、少なくとも前後方向に延びていればよく、前後方向に平行な直線状であってもよいし、前後方向に平行でなく、前後方向に対して傾斜した直線状又は曲線状であってもよい。
【００４６】
なお、本明細書における「吸収体の目付及び密度」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００４７】
包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００４８】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００４９】
次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００５０】
（２）作用・効果
吸収性物品１は、吸収性物品１の肌対向面側から視認可能な曲部（前後スリット４２）を有するため、装着者は、当該曲部によって後側域が適切に装着されているか否かを確認することができる。例えば、吸収性物品１の前後方向Ｌが下着の前後方向Ｌに対して曲がっている場合には、前後スリット４２の延びる方向が下着の前後方向に沿わない。よって、装着者は、後側域Ｓ２が適切に装着されていないことを把握できる。
【００５１】
また、装着者によっては、後側域の前後方向の長さが比較的長い吸収性物品を装着する際に、吸収性物品１を下着に装着し、下着を引き上げた（下着を着用した）後に、吸収性物品１自体を視認せずに、臀部側から下着内に手を挿入し、吸収性物品１の幅方向の中心位置を調整している。このように装着後に吸収性物品１の位置を調整すると、下着と吸収性物品とを止着する粘着領域がずれたり、粘着領域同士がくっついたりして、吸収性物品１に意図しない皺が生じすることがある。
【００５２】
すなわち、装着者は、後側域Ｓ２が適切に装着されていない場合、後側域Ｓ２のみを下着から外し、再度装着することが考えられる。このとき、曲部が前後方向に沿って延びているため、装着者は、曲部の延びる方向を確認しつつ、また曲部を触った状態で、後側域Ｓ２を適切な位置に再度装着できる。装着者は、身体の幅方向の中心に吸収性物品の幅方向の中心が配置されるように装着でき、吸収性物品１に意図しない皺が発生することを抑制でき、かつ漏れに対する不安感が低減する。
【００５３】
加えて、曲部が前後方向に連続する前後スリットであるため、装着者は、触感によっても、曲部の位置を把握し易くなる。装着者が曲部を把握し易い構成としては、非連続的な点状でなく、連続的な線状であることが好ましい。また、装着者が曲部を把握し易い構成としては、スリット、低目付部及びエンボス等、周囲の吸収コアと厚みや硬さが異なる構成であることが好ましい。
【００５４】
図５は、吸収性物品１が着用者に装着された状態の断面図である。図５（ａ）は、排泄口当接域Ｓ１における幅方向に沿った断面図であり、図５（ｂ）は、後側域Ｓ２における幅方向に沿った断面図である。図５（ａ）は、図１のＣ−Ｃ断面を基準としており、図５（ｂ）は、図１のＤ−Ｄ断面を基準としている。図５において、着用者の身体を示すラインを二点鎖線で示す。生理用ナプキンとしての吸収性物品１を着用する際は、吸収性物品を下着Ｓに止着し、当該下着を引き上げて着用する。一般的な生理用ナプキンの吸収コアの幅方向の寸法は、着用者の股間の幅方向の寸法よりも広く設計されている。そのため、着用された状態の吸収性物品１の排泄口当接域Ｓ１は、装着者の両足によって挟まれ、幅方向の外側から幅方向の内側に向かう力を受ける。
【００５５】
吸収コア３１の幅方向Ｗに沿った着用者の身体の断面形状は、股下近傍と臀部近傍とで異なる。具体的には、着用者の股下の陰裂(経血が出る膣口あたり)近辺の幅方向に沿った身体の断面形状は、大陰唇が大腿の付け根よりも出っ張っており、吸収性物品側に突出する凸形状である。この着用者の股下域に、吸収性物品の排泄口当接域Ｓ１が対向して配置される。吸収性物品１は、下着Ｓに装着され、かつ着用者に着用された状態で、排泄口当接域Ｓ１の吸収コアが大陰唇の出っ張りに押し下げられ、非肌対向面側に隆起するように変形する。着用者の股下においては、排泄口当接域Ｓ１の吸収コアが身体に沿って配置され、股下における漏れを抑制できる。
【００５６】
また、着用者の大陰唇より後方に位置する会陰部よりも後方には、肛門や臀裂が位置する。この会陰部よりも後方近辺の幅方向に沿った身体の断面形状は、幅方向の中心が窪んだ形状である。この着用者の臀部に、吸収性物品の後側域Ｓ２が対向して配置される。例えば、夜用の生理用ナプキンは、仰向けの寝姿勢で使用されることが多い。漏れの大半は、一回に多量に経血が排出されて、膣口の直下における経血の吸収が間に合わなかった場合や、膣口の直下に位置する吸収体が身体にフィットしていなかった場合に、臀部より窪んだ部分に経血が流れ込み、当該経血が身体を伝って漏れるものである。身体の臀部と吸収性物品の間に隙間が生じていると、特に夜用の生理用ナプキンおいて、経血が身体を伝わって背側後方に伝わり流れ、吸収性物品の後ろから漏れてしまうおそれがある。
【００５７】
本実施の形態の吸収性物品は、後側域Ｓ２において吸収コア３１の側部が左右の臀部によって押し下げされる。よって、後側域の吸収コアの幅方向の側部には、後側域の吸収コア３１の幅方向の中央よりも力がかかる。吸収コアの側部が左右の臀部によって押し下げされると、後側域の吸収体の幅方向の中央は、前後スリットを頂点として着用者側に隆起する。よって、後側域Ｓ２の吸収コア３１の幅方向の中央が臀部間の窪みに配置され易く、より着用者の臀部に沿って吸収コア３１を配置できる。その結果、経血等の体液が身体を伝わって背側後方に伝わり流れ、吸収性物品の後ろから漏れることを防止できる。
【００５８】
また、後側域Ｓ２の吸収コア３１の幅方向の中央は、前後スリット４２が形成され、実質的に吸収材料が配置されていない。よって、隆起する部分、特に頂点の厚みが薄くなる。また、前後スリット４２に吸収材料が配置されていると、当該吸収材料の剛性によって吸収コア３１が平坦な状態を維持し易く、前後スリット４２を基点に吸収コア３１が折れ曲がり難くなることがある。しかし、前後スリット４２には、実質的に吸収材料が配置されていないため、当該前後スリット４２を基点に吸収コア３１が折れた状態を維持し易い。よって、着用者の臀部間の隙間に吸収性物品１をより密着して配置でき、臀部における漏れを抑制できる。
【００５９】
装着者は、臀部間の隙間に配置される曲部の位置を把握しつつ、吸収性物品を装着できる。よって、適切な位置に吸収性物品を装着することにより、漏れを抑制できる効果を実感でき、漏れに対する不安感を抑制できる。
【００６０】
曲部（前後スリット４２）は、ヒップフラップ４において最も幅方向の外側に位置する最外縁部４Ｅよりも後方に延びていてもよい。後側域Ｓ２の吸収体３０は、左右の臀部によって吸収体の側部及びヒップフラップ４が押し下げされる。後側域の吸収体の幅方向の中央は、吸収体の側部及びヒップフラップによって押され、着用者側に隆起し、左右の臀部間の隙間に配置される。
【００６１】
例えば、ヒップフラップ４が適切な位置に配置されていないと、左右のヒップフラップ４において掛かる力が偏り、後側域Ｓ２の吸収体３０の幅方向の中央からずれた位置が着用者側に隆起するおそれがある。特に、ヒップフラップ４において最も幅方向の外側に位置する最外縁部は、着用者の臀部の力がかかりやすい。曲部（前後スリット４２）が、ヒップフラップ４において最も幅方向の外側に位置する最外縁部４Ｅよりも後方に延びるため、前後方向において排泄口当接域Ｓ１から最外縁部４Ｅに至るまでの領域を適切な位置に装着できる。左右のヒップフラップ４において略均等に力が掛かり、後側域Ｓ２の吸収体３０の幅方向の中央が着用者側に隆起し易くなる。
【００６２】
曲部（前後スリット４２）は、吸収性物品の幅方向の中心に配置されていてもよい。吸収性物品の幅方向の中心を、着用者側に隆起させることができ、当該隆起部分の頂点を左右の臀部の隙間にフィットさせることができる。
【００６３】
後側域Ｓ２の吸収コア３１は、曲部（前後スリット４２）に連なり、かつ曲部から幅方向Ｗの外側に延びる補助曲部（補助スリット４３）を有していてもよい。補助曲部は、幅方向の外側から幅方向の内側に向かうにつれて後方に延びる。また、その補助曲部の幅方向の間には、前後方向に延びる曲部が形成されている。曲部と補助曲部によって後方に向かって延びる矢印を示すことができる。装着者に対して、装着時に手を動かす方向を認識させることができ、適切な装着操作を促すことができる。
【００６４】
また、補助スリット４３が前後スリット４２と交差して配置されているため、着用者は、補助スリット４３及び前後スリット４２を介して、吸収性物品の幅方向の中央の位置を把握することができる。よって、吸収性物品を着用した後に、吸収性物品１自体を視認せずに、臀部側から下着内に手を挿入し、吸収性物品１の幅方向の中心位置を調整する際に、吸収性物品の幅方向の中央の位置を把握することができ、調整を容易に行うことができる。
【００６５】
曲部（前後スリット４２）及び曲部から後方に延びる領域は、厚み方向において粘着領域６０に重なっていなくてもよい。曲部が厚み方向において粘着領域に重なっていないことにより、曲部の変形が下着によって過度に阻害されることを抑制し、曲部を基点に変形し易くなる。また、吸収性物品１の後側域Ｓ２が適切に装着されずに後側域Ｓ２を再度装着する際、装着者は、目印となる曲部の近傍を把持して、後側域Ｓ２を装着し直す。具体的には、装着者は、曲部から後方に延びる領域を把持して後側域Ｓ２を下着から剥がし、再度後側域Ｓ２を下着に装着することが考えられる。または、装着者によっては、吸収性物品１を下着に装着し、下着を引き上げた（下着を着用した）後に、吸収性物品１自体を視認せずに、臀部側から下着内に手を挿入し、吸収性物品１の幅方向の中心位置を調整する。このように装着後に吸収性物品１の位置を調整する際に、曲部から後方に延びる領域に粘着領域６０が設けられていないため、着用者の手に粘着領域６０がつくことを防止でき、装着時の操作性を向上できる。
【００６６】
前後スリット４２の前部の幅方向の両外側に、非肌面シート２０を視認可能な識別部７０が設けられていてもよい。装着者は、曲部を構成する前後スリット４２を介して非肌面シート２０を視認し、吸収性物品１の前後方向Ｌを容易に把握できる。
【００６７】
また、曲部（前後スリット４２）の幅方向の外側に識別部７０が設けられているため、装着者は、曲部（前後スリット４２）と識別部７０とによって吸収性物品１の前後方向Ｌをより適切に把握できる。また、曲部の左側と曲部の右側に識別部７０がそれぞれ設けられているため、装着者は、吸収性物品１の前後方向Ｌのずれのみならず、左右の位置ずれについても把握し易くなる。
【００６８】
識別部７０は、曲部の幅方向の両外側にそれぞれ配置され、当該識別部は、前後方向に延びていてもよい。曲部（前後スリット４２）及び曲部の幅方向の両側に位置する識別部７０は、前後方向に延びているため、装着者は、３本の前後方向に延びる曲部及び識別部７０によって吸収性物品が適切な位置及び角度で配置されているかを確認することができる。この曲部の幅方向の両側に位置する識別部７０は、ウイング３の最外側縁よりも幅方向の内側であってもよいし、ヒップフラップ４の最外側縁よりも幅方向の内側であってもよい。例えば、ウイング３が適切に装着されていないと、後側域Ｓ２の位置ずれ量が大きくなる。しかし、ウイング３が適切に装着されることにより、後側域Ｓ２の位置ずれ量を小さくできる。
【００６９】
（３）その他の実施形態
本実施の形態の吸収性物品は、下着に装着される夜用の生理用ナプキンであるが、他の実施形態として、おむつに装着される尿取パッド等の吸収パッドであってもよい。また、吸収性物品は、ウイングを有していなくてもよいし、ヒップフラップを有していなくてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
１        ：吸収性物品
３        ：ウイング
４        ：ヒップフラップ
４Ｅ      ：ヒップフラップの最外縁部
１０      ：肌面シート
１１      ：表面シート
１２      ：サイドシート
２０      ：非肌面シート
３０      ：吸収体
３１      ：吸収コア
３１Ｅ    ：排泄口当接域の吸収コアの外側縁
３１１      ：第１領域
３１２      ：第２領域
３１３      ：第３領域
３２      ：コアラップ
４１      ：幅スリット
４２      ：前後スリット（曲部）
４３      ：補助スリット
６０      ：粘着領域
６１      ：第１本体粘着領域
６２      ：第２本体粘着領域
６３      ：ウイング粘着領域
６４      ：ヒップフラップ粘着領域
７０      ：識別部
Ｌ        ：前後方向
Ｔ        ：厚み方向
Ｔ１      ：肌対向面側
Ｔ２      ：非肌対向面側
Ｗ        ：幅方向
Ｓ１      ：排泄口当接域
Ｓ２      ：後側域
Ｓ３      ：前側域
【図１】
0006442274.tif 000002
【図２】
0006442274.tif 000003
【図３】
0006442274.tif 000004
【図４】
0006442274.tif 000005
【図５】
0006442274.tif 000006